(57)【要約】【課題】台所では調理時間を設定し、その設定時間が経過するとブザー等の報知音を発音させる、いわゆるキッチンタイマが知られている。ところが、キッチンテレビを台所に取り付けるとキッチンテレビのスピーカからの音声によって、キッチンタイマの報知音を聞き逃すおそれがある。【解決手段】キッチンタイマから報知音が出力されるとスピーカ２１でテレビ音声と共に報知音を発音させるようにした。さらに報知音が発音されている間はミュート回路によってテレビの音声を自動的に小さくして報知音を聞き逃さないようにした。【選択図】  図３
2006279409.tif 000002
【特許請求の範囲】
【請求項１】
継続して音声信号を再生するスピーカ手段を備えた音響装置本体に、減算時間を自由に設定し得る減算タイマ手段を設けると共に、この減算タイマ手段によって減算時間が減算されゼロになった時点で所定の報知音を発音する発音手段と、この発音手段から発音されている間上記スピーカ手段から再生される音声信号を減音または停止させるミュート手段を設けたことを特徴とする音響装置。
【請求項２】
上記報知音の信号と上記音声信号とを混合するミキサ手段を設け、上記発音手段を上記スピーカ手段と兼用したことを特徴とする請求項１に記載の音響装置。
【請求項３】
上記音響装置は台所に設置されるキッチンテレビであることを特徴とする請求項１または請求項２に記載の音響装置。
【発明の詳細な説明】
【技術分野】
【０００１】
本発明は、いわゆるキッチンタイマのような減算タイマを内蔵した音響装置に関する。
【背景技術】
【０００２】
音響装置として、例えば台所に設置して調理中等にテレビ画面を鑑賞できるようにしたものが知られている（例えば、特許文献１参照）。このようなキッチンテレビでは、テレビの音声を再生するスピーカが設けられている。
【０００３】
一方、台所では調理時間を設定し、その設定時間が経過するとブザー等の報知音を発音させる、いわゆるキッチンタイマが知られている。このキッチンタイマは通常は単体で構成されており、裏面に例えば磁石が取り付けられており、冷蔵庫の扉に吸着させて使用される場合が多い。
【特許文献１】特開２００４−２４１９１９号公報（図１）
【発明の開示】
【発明が解決しようとする課題】
【０００４】
台所では調理中に比較的音量の高い騒音が出るため、テレビ音声はその騒音に対向するため比較的大きな音量で再生される。このように騒音の他テレビからの音声が大きい状態でキッチンタイマから報知音が発音されても聞き逃すおそれが生じる。
【０００５】
そこで本発明は、上記の問題点に鑑み、テレビなどの音響装置から音声が再生されていてもキッチンタイマなどのタイマからの報知音を聞き逃すおそれのない音響装置を提供することを課題とする。
【課題を解決するための手段】
【０００６】
上記課題を解決するために本発明による音響装置は、継続して音声信号を再生するスピーカ手段を備えた音響装置本体に、減算時間を自由に設定し得る減算タイマ手段を設けると共に、この減算タイマ手段によって減算時間が減算されゼロになった時点で所定の報知音を発音する発音手段と、この発音手段から発音されている間上記スピーカ手段から再生される音声信号を減音または停止させるミュート手段を設けたことを特徴とする。
【０００７】
上記構成によれば、音響装置内に減算タイマ手段を組み込んだので、音響装置の作動と減算タイマ手段の作動とが連動させやすくなる。そして、減算タイマ手段でカウントダウンされた減算時間がゼロになった時点で報知音を発音するが、その際音響装置側の音量を減音もしくは消音することにより、報知音の聞き逃しを防止することとした。
【０００８】
なお、スピーカ手段と発音手段とを別個に設けてもよいが、上記報知音の信号と上記音声信号とを混合するミキサ手段を設け、上記発音手段を上記スピーカ手段と兼用させてもよい。
【０００９】
なお、上記音響装置は台所に設置されるキッチンテレビであれば、減算タイマ手段をキッチンタイマとして使用することができ、調理者にとって有用である。
【発明の効果】
【００１０】
以上の説明から明らかなように、本発明は、音響装置と減算タイマ手段との連動を計り、減算タイマによる報知音を発音する際に、音響装置側の音量を減音し、もしくは消音するようにしたので、報知音を聞き逃すおそれがなくなる。
【発明を実施するための最良の形態】
【００１１】
図１を参照して、１はキッチンテレビの本体であり、戸棚の底板Ｂの下面に固定されている。そして、この本体１の下方には画像表示部２が連結されている。
【００１２】
図２を参照して、画像表示部２には液晶表示部２２の他に１対のスピーカ２１が設けられている。本体１から画像表示部２には画像信号と音声信号とが送られてくる。画像信号は液晶表示部２２に画像として表示され、音声信号はスピーカ２１によって音声として再生される。
【００１３】
チャンネルや音量その他の調節は本体１に設けた各種の操作スイッチ１１を押操作することによって行う。
【００１４】
また、本実施の形態ではタイマ機能を本体１に内蔵させた。このタイマ機能は減算タイマを備えており、操作スイッチ１１を押操作することにより減算時間を自由に設定することができる。設定した減算時間は表示部１２に表示される。そして、操作スイッチ１１のうちのスタートスイッチを押操作すると、減算タイマが減算時間から減算を開始する。
【００１５】
この減算によって表示部１２の表示されている減算時間がカウントダウンされていく。表示部１２に表示される減算時間がゼロになると報知音をスピーカ２１から発音させるようにした。なお、この報知音を発音させるブザーやスピーカをスピーカ２１とは別個に本体１に設けてもよいが、本実施の形態では上述のようにスピーカ２１から発音させるようにした。
【００１６】
図３を参照して、本体１に内蔵されたテレビチューナ部３１から音声信号が出力されるが、その音声信号は最初にミュート回路３２に入力されるようにした。このミュート回路３２は本体１内に格納されており、外部からの制御信号が入力されると、入力された音声信号の大きさを小さくして出力する回路である。
【００１７】
このミュート回路３２から出力された音声信号は次にミキサ３３に入力される。このミキサ３３には更に減算タイマ３４からの報知音用の信号が入力されている。このミキサ３３ではミュート回路３２から出力されたテレビ音声用の音声信号とタイマ３４から出力された報知音用の音声信号とが混合されて上記スピーカ２１に出力される。
【００１８】
但し、タイマ３４からは制御信号が出力されるように構成されており、この制御信号は信号線３５を介してミュート回路３２に入力されている。タイマ３４は上記のように減算時間がカウントダウンされ、ゼロになった際に所定時間報知音用の音声信号をミキサ３３に出力するが、この報知音用の音声信号を出力している間、制御信号をミュート回路３２に入力するように設定されている。
【００１９】
ミュート回路３２は上述のように、外部から制御信号が入力されるとテレビチューナ部３１から出力される音声信号を小さくしてミキサ３３に出力するので、減算時間がゼロになるとテレビの音声が小さくなり、それと同時に報知音がスピーカ２１から発音されることになる。
【００２０】
減算時間がゼロになってから所定時間経過するか、操作スイッチ１１が操作されると、タイマ３４から出力されていた音声信号及び制御信号が停止する。そのため、スピーカ２１からは元の大きさに戻ったテレビの音声が発音される。
【００２１】
なお、上記ミュート回路３２は外部からの制御信号が入力されると、ミュート回路３２に入力される音声信号の大きさを小さくして出力したが、制御信号が入力されている間はまったく音声信号を出力させないようにしてもよい。また、減算時間のカウントダウンを表示部１２に表示させたが、液晶表示部１２に表示させてもよく、その際には液晶表示部１２を廃止してもよい。
【００２２】
なお、本発明は上記した形態に限定されるものではなく、本発明の要旨を逸脱しない範囲内において種々の変更を加えてもかまわない。
【図面の簡単な説明】
【００２３】
【図１】本発明の一実施の形態の構成を示す図
【図２】キッチンテレビの正面図
【図３】本体内の構成を示すブロック図
【符号の説明】
【００２４】
１  （キッチンテレビの）本体
２  画像表示部
２１  スピーカ
【図１】
2006279409.tif 000003
【図２】
2006279409.tif 000004
【図３】
2006279409.tif 000005